(57)【要約】【課題】小幅寸法であっても面板ガラスにかかる正と負の風荷重を確実に受け止めることでき、該風荷重に対して設計自由度が高く、シリコーンシーラントによる接着の信頼性が高いリブの提供を可能とする。【解決手段】外壁として立設する面板ガラスの突き合わせ部に設けたリブによってガラス板を支持する支持構造において、該リブが短冊状ガラス板と金属リブからなる複合リブであり、該金属リブが該短冊状ガラス板を挟み込めるように成形したガラス掴み部と金属板部からなるリブであり、該金属リブが面板ガラス同士の付き合わせ縦辺に平行で面板ガラスに垂直な面に沿って2分割されたリブであり、前記複合リブが該短冊状ガラス板と2分割した該金属リブおよびスペーサを前記金属リブに取り付けたボルトによって一体化したリブであり、該複合リブの面板ガラスに向き合う面に段差がないように、該金属リブの面板ガラスに向き合う面を含むガラス掴み部を成型した。【選択図】    図１
2006016776.tif 000002
【特許請求の範囲】
【請求項１】
外壁として立設する面板ガラスの突き合わせ部の片面または両面側に面板ガラスの縦辺に沿って面板ガラスと直交する方向に設けたリブによってガラス板を支持する支持構造において、該リブが、面板ガラス同士の突き合わせ縦辺に沿うように配設した、短冊状ガラス板と金属リブからなる複合リブであり、該短冊状ガラス板が面板ガラス同士の突き合わせ縦辺に沿って面板ガラスと平行面となるように配設したガラス板であり、該金属リブが該短冊状ガラス板の片面の中央領域を除いてその周囲を覆い、該短冊状ガラス板を挟み込めるように成形したガラス掴み部と該ガラス掴み部の背部に垂設した金属板部からなるリブであり、該金属リブが面板ガラス同士の付き合わせ縦辺に平行で面板ガラスに垂直な面に沿って2分割されたリブであり、前記複合リブが該短冊状ガラス板と2分割した該金属リブおよび該金属リブの2本1組の金属板部が概ね平行になるように該金属板部の間に前記短冊状ガラス板の幅に応じて挿入したスペーサを前記金属リブに取り付けたボルトによって一体化したリブであり、該複合リブの上下両端をそれぞれ上部構造体と下部支持枠間に固定し、面板ガラス同士の突き合わせ縦辺間、および面板ガラス同士の突き合わせ部と該短冊状ガラス板の間の目地部にシーリング材を充填し、該短冊状ガラス板と面板ガラスとをシーリング材によって接着してガラススクリーンを支持するようにしたことを特徴とするガラス板の支持構造。
【請求項２】
前記短冊状ガラス板を上下方向に分割し、該分割されたガラス板間にガラス板の荷重を支える仕切部材を前記金属リブに固着し、該仕切部材の上下両面に緩衝材またはバックアップ材を介して上下方向に直列に複数枚の短冊状ガラス板を配設したことを特徴とする請求項１記載のガラス板の支持構造。
【請求項３】
前記短冊状ガラス板の面部と前記ガラス金属リブの間に弾性ゴムシート等の緩衝シート材を配設したことを特徴とする請求項１または２に記載のガラス板の支持構造。
【請求項４】
前記短冊状ガラス板と前記ガラス金属リブを一体化した前記複合リブにおいて、該金属リブの面板ガラスに向き合う面が、面板ガラスの面に平行で、かつ該短冊状ガラス板の面板ガラスに向き合う面との間に段差がないように、該金属リブの面板ガラスに向き合う面を含むガラス掴み部を成型したことを特徴とする請求項１乃至３のいずれかに記載のガラス板の支持構造。
【発明の詳細な説明】
【技術分野】
【０００１】
本発明は、ガラス板と金属リブフレームとを複合一体化させた小幅の複合リブによるガラススクリーンの支持構造に関する。
【背景技術】
【０００２】
従来、採光、美観等を目的として、建物の外壁に大板ガラスを並設し大開口部を構成するガラススクリーンの形成において、ガラスリブを面ガラス板の各縦辺部に直交するように立設してシーリング材で接着し、面ガラス板を支持するガラスリブ工法や、面ガラス板の室内側に設けた金属製のバックマリオンに面ガラス板を構造用シーリング材によって接着支持させるＳＳＧ（StructuralSealant Glazing System）工法等の各種の方法が採用されてきた。
【０００３】
前記リブガラスを用いるガラスリブ工法には、ガラス板を自立させるガラスリブ工法（ガラススタビライザー工法ともいう）と、ガラス板の上端を吊り下げて支持する吊り下げリブ工法（吊り下げスタビライザー工法ともいう）があり、面ガラスの開口部面積の高さや、ガラス板の厚み等によって選定が異なるが、概ね面板ガラスの高さが６ｍ未満と低い場合は、ガラスリブ工法が用いられ、面ガラスの高さが４．５ｍ以上と高くなると、吊り下げリブ工法が用いられている（非特許文献１）。
【０００４】
前記ガラスリブを用いる工法のうち、リブガラス工法は、リブガラスを用いて面板ガラスの自重による撓みと面板ガラスに加わる風荷重とを支持する工法である。
【０００５】
例えば、特開平１０−６１０６９号公報には従来技術として、図４〜図６に面板ガラスの縦辺突き合わせ部にリブガラスを配設し、シール材で接着した例が記載されている（特許文献１）。
【０００６】
また、面板ガラスの室内側に設けた金属枠体に所定の厚みとしたシリコーン系接着剤によって面板ガラスを接着支持させる構造シリコーン工法が知られている（特許文献２）。
【０００７】
さらに、特開２００４−１２４６４８号公報には従来技術として、図１〜図７に短冊状ガラス板、ガラス掴み部材、および該ガラス掴み部材の背部に垂設固着した金属板材とからなる複合リブの例が記載されている（特許文献３）。
【特許文献１】特開平１０−６１０６９号公報
【特許文献２】実開昭６２−１４１８８９号公報
【特許文献３】特開２００４−１２４６４８号公報
【非特許文献１】板ガラス総合カタログ、セントラル硝子株式会社発行、２００１年２月１日印刷（第９３〜１０９頁）
【発明の開示】
【発明が解決しようとする課題】
【０００８】
前記特許文献１に記載された前記ガラスリブを自立させて支持するリブガラス付自立工法は、ガラス開口部に透明感を与える方法として広く普及している。しかし、このリブガラス付自立工法は、方立となるガラスリブに十分な剛性を持たせるために、ガラスリブの奥行き寸法（幅寸法）を大きくとらなければならず、また、面ガラスとガラスリブとをシーリング接着する部分がガラスリブの厚み幅部分だけであるため、十分な接着代を取ることができず、大きな接着強度が得られないという問題がある。
【０００９】
特許文献２に記載のガラス板の取り付け構造は、アルミ型材等からなる金属枠体とガラス板を工場にて専用接着設備にて接着するために現場での接着作業は困難であり、また、工場の専用設備にて接着せざるを得ないため、接着するガラス板の寸法に制約があり、大開口部の場合には対応できない。
【００１０】
特許文献３に記載のガラス板の取り付け構造は、ガラス掴み部材にはめ込む短冊状ガラス板の幅がガラス掴み部材の設計幅によって決まるため、短冊状ガラス板の幅を変える場合は、幅が違う短冊状ガラス板毎に幅が異なるガラス掴み部材を設計して製作しなければならないという問題があった。
【００１１】
特許文献３に記載のガラス板の取り付け構造は、複合リブの短冊状ガラス板の面板ガラスに向き合う面とガラス掴み部材の面板ガラスに向き合う面がともに、面板ガラスに平行な面となるように配設されており、面板ガラスに向きあう複合リブの面には、短冊状ガラス板の面とガラス掴み部材の面との間にガラス掴み部材の厚み分の段差がある。この複合リブの面の段差は、面板ガラスと複合リブとの間の目地部をシーリング材によって接着するときにシーリング材を充填する作業の妨げとなり、現場での作業を難しくする。
【００１２】
また、特許文献３の図６に示されているように複合リブの面板ガラスに向きあう面に段差があると、ガラス掴み部材の全幅にシーリング材を充填した場合、短冊状ガラス板の露出部とガラス掴み部材の開口側面とでは、シーリング材の厚みが異なる。面板ガラスと複合リブとの間の目地部の厚みは風圧や温度変化によって広くなったり狭くなったりしており、それに伴ってシーリング材の厚みも変化する。厚みに段差があるシーリング材がこのような目地部の厚み変化を受けると、シーリング材の厚い部分と薄い部分ではシーリング材の歪が異なり、シーリング材の歪が大きい目地部分の接着が外れる恐れが大きくなる。結果的に、面板ガラスに向きあう複合リブに段差があると、シーリング材による接着の信頼性が低下する。
【課題を解決するための手段】
【００１３】
本発明は、リブ（方立ということもある）の横断面寸法が例えば２０ｍｍ×１００ｍｍ程度に小さくても、面板ガラスにかかる正と負の風荷重を確実に受け止めることでき、また、面板ガラスにかかる風荷重の設計に対する自由度が高く、さらに、リブと面板ガラスとのシーリング材による現場での接着施工を可能とすることを目的とするものである。
【００１４】
すなわち、本発明は、外壁として立設する面板ガラスの突き合わせ部の片面または両面側に面板ガラスの縦辺に沿って面板ガラスと直交する方向に設けたリブ（方立）によってガラス板を支持する支持構造において、該リブが、面板ガラス同士の突き合わせ縦辺に沿うように配設した、短冊状ガラス板と金属リブからなる複合リブであり、該短冊状ガラス板が面板ガラス同士の突き合わせ縦辺に沿って面板ガラスと平行面となるように配設したガラス板であり、該金属リブが該短冊状ガラス板の片面の中央領域を除いてその周囲を覆い、該短冊状ガラス板を挟み込めるように成形したガラス掴み部と該ガラス掴み部の背部に垂設した金属板部からなるリブであり、該金属リブが面板ガラス同士の付き合わせ縦辺に平行で面板ガラスに垂直な面に沿って2分割されたリブであり、前記複合リブが該短冊状ガラス板と2分割した該金属リブおよび該金属リブの2本1組の金属板部が概ね平行になるように該金属板部の間に前記短冊状ガラス板の幅に応じて挿入したスペーサを前記金属リブに取り付けたボルトによって一体化したリブであり、該複合リブの上下両端をそれぞれ上部構造体と下部支持枠間に固定し、面板ガラス同士の突き合わせ縦辺間、および面板ガラス同士の突き合わせ部と該短冊状ガラス板の間の目地部にシーリング材を充填し、該短冊状ガラス板と面板ガラスとをシーリング材によって接着してガラススクリーンを支持するようにしたことを特徴とするガラス板の支持構造である。
【００１５】
あるいはまた、本発明は、前記短冊状ガラス板を上下方向に分割し、該分割されたガラス板間にガラス板の荷重を支える仕切部材を前記金属リブに固着し、該仕切部材の上下両面に緩衝材またはバックアップ材を介して上下方向に直列に複数枚の短冊状ガラス板を配設したことを特徴とする請求項１記載のガラス板の支持構造である。
【００１６】
あるいはまた、本発明は、前記短冊状ガラス板の面部と前記ガラス金属リブの間に弾性ゴムシート等の緩衝シート材を配設したことを特徴とする上述のいずれかのガラス板の支持構造である。
【００１７】
あるいはまた、本発明は、前記短冊状ガラス板と前記ガラス金属リブを一体化した前記複合リブにおいて、該金属リブの面板ガラスに向き合う面が、面板ガラスの面に平行で、かつ該短冊状ガラス板の面板ガラスに向き合う面との間に段差がないように、該金属リブの面板ガラスに向き合う面を含むガラス掴み部を成型したことを特徴とする上述のいずれかのガラス板の支持構造である。
【発明の効果】
【００１８】
リブガラスの外周を金属製にしたので、金属の持つ高い剛性を生かして、リブの横断面寸法を例えば２０ｍｍ×１００ｍｍ程度に小さくすることができた。
【００１９】
また、内部を短冊状のガラス板とし、短冊状のガラス板面を面板ガラスと平行となるように配置し、該短冊状のガラス板と面板ガラスとをシーリング材で接着させるようにしたので、シーリング材による接着幅を大きく取れ、大きな接着力を確保できるとともに、面板ガラスの面外方向からの荷重による変形に対応することができた。
【００２０】
また、前記短冊状のガラス板を複数箇所で切断して分割し、仕切部材と、緩衝材またはバックアップ材を介して並設した複数枚の短冊状ガラス板が途中で切れているため、各短冊状ガラス板の変形が小さくなり、前記面外方向からのより大きな荷重をうけ、短冊状のガラス板を大きく変形させようとする力が加わっても対応できるようになった。
【００２１】
また、金属リブを面板ガラス同士の付き合わせ縦辺に平行で面板ガラスに垂直な面に沿って2分割した、すなわち縦に2分割したため、幅が違う短冊状ガラス板を挟み込む場合には、金属リブを設計して製作し直す必要がなく、2分割した該金属リブの金属板部の間に挿入するスペーサの幅を短冊状ガラス板の幅に応じて変えるだけで済む。自重による撓みや加わる風加重が異なるガラススクリーンの設計と施工においては、金属リブを縦に2分割することによって、幅が違う短冊状ガラス板と金属板部の間に挿入するスペーサを作り直すだけで、金属リブを作り直さなくて済むようになり、ガラススクリーンの風荷重に対して金属リブの設計自由度が高くなった。
【００２２】
また、通常、金属リブと面板ガラスとの建築現場でのシーリング材による接着施工は困難であり、工場にて専用設備にて接着せざるを得なかったが、リブ（方立）の面板ガラスとのシーリング材による接着部分を主としてガラス板としたことによって、建築現場において接着施工が可能になった。
【００２３】
また、金属リブと面板ガラスとの建築現場でのシーリング材による接着施工は困難であったが、短冊状ガラス板と金属リブの面板ガラスに向き合う面との間に段差がないように金属リブのガラス掴み部を成型することによって、建築現場において接着施工が容易になった。
【００２４】
さらに、短冊状ガラス板と金属リブの面板ガラスに向き合う面との間に段差がないように金属リブのガラス掴み部を成型することによって充填したシーリング材の厚みが一定なり、シーリング材による接着の信頼性が高くなった。
【発明を実施するための最良の形態】
【００２５】
本発明は、図１、図３、および図９に示すように、建物の外壁として立設する複数枚の面板ガラス２、２、・・を一列に並設させて立設し、各面板ガラス２、２、・・の縦辺の突き合わせ部の室内側、または室外側の片面、あるいは両面側に面板ガラス２の縦辺に沿って該縦辺と直交する方向にリブ（方立）３を配設してガラススクリーン１を形成するためのガラス板の支持構造である。
【００２６】
前記リブ３は、短冊状ガラス板４、該短冊状ガラス板４の面板ガラス２に面する側の面の中央面部を除いて左右の両側より背面まで周囲を囲むように断面が略コ字型のガラス掴み部６と該ガラス掴み部６の室内側である背面部に垂設固着したの金属板部７からなる2本1組の金属リブ５、該金属リブの2本1組の金属板部７が概ね平行になるように該金属板部７の間に前記短冊状ガラス板４の幅に応じて挿入したスペーサ８、および、短冊状ガラス板４と2本1組の金属リブ５およびスペーサ８を組み合わせた後で固定するボルト９からなる複合リブ３であり、該複合リブは、その上下両端部を夫々上部支持枠１１および図示しない上部構造体と、下部支持枠１２間に固定した。
【００２７】
前記金属リブ５の略コ字型のガラス掴み部６の面板ガラス２に向き合う面と短冊状ガラス板４の面板ガラス２に向き合う面との間には段差が生じないようにした。前記複合リブ３の面板ガラス２に向き合う面に段差を付けないためには、ガラス掴み部６の形状をコ字型にして、直方体形状の前記短冊状ガラス板４の面板ガラス２に向き合う面を除く５つの面を把持するようにすればよい。しかし、この方法では、短冊状ガラス板４を把持する金属リブ５の締め付け力が緩んだ場合、短冊状ガラス板４がガラス掴み部６から外れる方向にずれる虞がある。このため、ガラス掴み部６の形状は、図１と図２に示す実施例１のように、断面が略コ字型で、略コ字型の開放部の両先端部を互いに接近する方向に若干曲げるとともに先端部をテーパ状に加工し、同時に短冊状のガラス板４の面板ガラス２に向き合う面もガラス掴み部６の先端部の形状に合わせてテーパ状に加工することによって、短冊状のガラス板４を把持することが望ましい。面板ガラス２に向き合う面とテーパ面が挟む角度、すなわちテーパの代表的な角度は４５°程度である。ガラス掴み部６の開口部位置は、垂直状態に立設した短冊状ガラス板４の片側面の縦方向に延ばした中心線を挟んで、その左右両側に略均等であり、ガラス掴み部６の開口幅は、短冊状ガラス板４の幅よりも狭幅で、かつ面板ガラス２、２、・・間の目地幅よりも少なくとも同一幅以上とするが、目地幅よりも幅拡とするのが望ましい。
【００２８】
図４に示すように、前記短冊状のガラス板４は、面板ガラス２、２、・・同士の付き合わせ縦辺に沿った位置に設け、面板ガラス２、２、・・と平行面となるように垂直方向に配設し、面板ガラス２の高さに合わせた１枚の長尺板でも良いが、複数枚の短尺の短冊状のガラス板４、４、・・を上下方向に一列に並べて、該ガラス板４、４、・・の端面間に各短冊状のガラス板４の自重を支える仕切部材１３を設け、該仕切部材１３とガラス板間に弾性ゴム板等の緩衝材１４、または塩化ビニール製の発泡材１５を介して配設する。
【００２９】
前記該仕切部材１３はガラス掴み部６の内側面に水平に固設し、さらに仕切部材１３の上部側を弾性ゴム板等の緩衝材１４とし、仕切部材１３の下部を塩化ビニール樹脂等からなる発泡材をバックアップ材１５として配設させる。
【００３０】
金属リブ５は、図１と図２に示す実施例１のように、断面略コ字型のガラス掴み部６によって、上部構造体から下部支持枠１２にわたる面板ガラス２の縦辺に相当する長さの短冊状ガラス板４の周囲を覆う。面板ガラス２、２同士の縦辺の突合せ部の目地部にはシーリング材を充填し、同時に該目地部を含む面板ガラスの金属リブ５に向き合う面と、金属リブ５の前記ガラス掴み部６の開口部より露出している短冊状のガラス板４の面との間にも、シリコーン等からなるシーリング材１０を充填して接着した。
【００３１】
前記短冊状のガラス板４と面板ガラス２間に設けるシーリング材１０の接着幅は、ガラス掴み部６の開口幅よりもやや狭幅とし、ガラス掴み部６の開口先端部までシーリング材１０を充填させないようにすると、シーリング材１０が変形した時の短冊状のガラス板４面への接着力が損なわれずに好ましい。一方、ガラス掴み部６の幅全体までシーリング材１０を充填しても、充填したシーリング材１０の厚みが一定なのでシーリング材１０が変形した時の短冊状のガラス板４面への接着力は損なわれない。
【００３２】
短冊状ガラス板４の両面と短冊状ガラス板４の側面周囲を囲むように設けたガラス掴み部６との間の隙間にはゴムシート状の緩衝シート材１６を接着するかシーリング材を充填することによって、短冊状のガラス板４と金属製のガラス掴み部６とが直接接触することによる破損を防止するようにした。
【００３３】
前記シーリング材１０は、図１と図２に示す実施例１のように、面板ガラス２と短冊状ガラス板４の露出部を含むガラス掴み部６の開口側面全体との間に充填するようにしても良いが、ガラスと金属との接着は、ガラス同士よりも接着強度が劣るため、図５に示す実施例２の符号１０のように、面板ガラス２と短冊状ガラス板４の露出面の間だけに充填することが望ましい。
【００３４】
また、前記リブ３の前記金属リブ５は、図１に示したように断面が略コ字型のガラス掴み部６と該ガラス掴み部６と長さが同じ金属板部７とを溶接によって接合してもよいが、引抜加工などによって該ガラス掴み部６と該金属板部７とを一体成型することが美観上好ましい。
【００３５】
さらに、前記リブ３は、図１に示したように前記短冊状ガラス板４と2本1組の金属リブ５およびスペーサ８を皿ボルト９によって固定した。固定するためのボルトは例えば六角穴付ボルトでも良いが、皿ボルトは、ボルトの頭が金属リブに埋め込まれて面に突出しないので、美観上好ましい。
【００３６】
次に、本発明の作用について説明する。
【００３７】
図１と図２に示すように、本発明は、上述したような短冊状ガラス板４とその周囲を取り囲んだ金属リブ５からなる複合のリブ（方立）３であり、外観は金属方立であるかのように見え、機能も金属方立の持つ高い剛性を生かすことができるので、リブ３の全体の幅はガラス板だけからなるガラスリブに比べて小寸法の幅ですみ、スリムな形状とすることが可能であるだけでなく、ガラススクリーン１に従来にない意匠性を持たせることもできる。
【００３８】
また、リブ３と面板ガラス２との間をシーリング材１０の充填により接着する場合に、ガラス掴み部６の断面形状を短冊状ガラス板４の面板ガラス２に面する側の面の中央面部を除いて周囲を囲む略コ字型にしたので、ガラス板２と金属リブ５間におけるシーリング材１０の接着性の悪さは、開口部を有するガラス掴み部６の該開口部より露出した短冊状ガラス板４の面と面板ガラス２間にシーリング材１０を充填し接着することによって回避することができる。
【００３９】
また、ガラス掴み部６の幅全体までシーリング材１０を充填してリブ３と面板ガラス２との間を接着する場合に、略コ字型のガラス掴み部６の面板ガラスに向き合う面と短冊状ガラス板４の面板ガラスに向き合う面との間に段差が生じないようにしたことによって充填したシーリング材１０の厚みが面板ガラスに平行な方向（幅方向）で一定になり、シーリング材１０が変形した時の歪も幅方向で一定になるため、面板ガラス２と複合リブ３との接着の信頼性が高くなる。
【００４０】
また、金属リブは、面板ガラス同士の付き合わせ縦辺に平行で面板ガラスに垂直な面に沿って2分割した、すなわち縦に2分割したため、風荷重の設計値が異なるガラススクリーンについて幅が違う短冊状ガラス板を挟み込む場合にも、金属リブ５設計、製作し直す必要がなく、2分割した該金属リブ５の金属板部７の間に挿入するスペーサ８の幅を短冊状ガラス板４の幅に応じて変えるだけで済むようになり、ガラススクリーン１の風荷重に対して金属リブ５の設計自由度が高くなる。
【００４１】
また、短冊状ガラス板４の面板ガラス２に面する側の面の中央面部を除いて周囲を囲む、断面が略コ字型のガラス掴み部６は、略コ字型の開放部の両先端部を互いに接近する方向に若干曲げた先端部をテーパ状に加工し、そこに挟みこむ短冊状ガラス板４もガラス掴み部の形状に合わせてテーパ状に加工することによって、短冊状ガラス板４と2本1組の金属リブ５およびスペーサ８を組み合わせて皿ボルト９で一体化した複合リブ３は、短冊状ガラス板の面板ガラスに向き合う面と金属リブのガラス掴み部の面板ガラスに向き合う面との間に段差がなくなるとともに、短冊状ガラス板は、面板ガラスと向き合う面も金属リブのテーパ加工されたガラス掴み部先端部によって把持されるので、ガラス掴み部から脱落する恐れがない。
【００４２】
さらに、前記短冊状のガラス板４は、面板ガラス２、２同士の付き合わせ縦辺に沿った位置に設け、面板ガラス２と平行面となるように配設した。また、短冊状のガラス板４を取り囲むように配設した前記ガラス掴み部材６の開口部の開口幅は、短冊状ガラス板４の幅よりも狭幅で、かつ面ガラス２、２間の目地幅よりも少なくとも同一幅以上とした。
【００４３】
このように、短冊状のガラス板４とシーリング材１０との接着する幅を目地幅よりも幅拡とすることができ、面板ガラス２と短冊状のガラス板４をシール接着する接着幅を大幅とすることができるようにしたので、従来のリブガラスの板厚程度の幅に接着した場合に比べて、接着力をより強固なものとすることができる。
【００４４】
さらにまた、短冊状のガラス板４の板面を面板ガラス２の面に平行となるように配設したので、面板ガラス２の面外方向より風圧荷重等の荷重が加わった時に、短冊状のガラス板４にかかる力を金属製のガラス掴み部６に預けることによって、短冊状のガラス板４に掛かるねじれや曲げなどの無理な変形を軽減することができる。
【００４５】
特に、短冊状ガラス板４が上下方向に一枚板でなく複数枚に分割され、緩衝材等で直列に並設されている場合には、分割された部分で短冊状のガラス板４、４、・・にかかる曲げ変形が一旦切れるため、各短冊状ガラス板４、４、・・に加わる力は少なくてすみ、短冊状のガラス板４、４、・・を大きく変形させようとする力が加わっても対応可能である。
【００４６】
ガラス掴み部６、仕切部１３、および金属板部７の材料は、ステンレス等の錆びない金属が望ましい。
【００４７】
短冊状ガラス板４と面板ガラス２間に充填するシーリング材１０としては、シリコーン系シーリング材の高モジュラスの弾性シーリング材を使用するのが良い。
【００４８】
また、短冊状のガラス板４の両面とガラス掴み部６との間に設ける緩衝シート材１６、および分割され一列に並べられた短冊状のガラス板４、４・・の間に設ける緩衝材としては、ＥＰＤＭゴムやクロロプレンゴム等の成形ゴムを使用する。
【００４９】
また、分割され上下に一列に並べられた短冊状のガラス板４、４・・の間に設けるバックアップ材１５としては、塩化ビニール製の発泡材を使用した。
【００５０】
このように、リブ３の外周を剛性の金属製としたので、金属の持つ剛性を生かせて、リブの幅を狭めることができ、内部を短冊状のガラス板４とし、さらに短冊状のガラス板４の面を面板ガラス２の面と平行となるように配置し、該短冊状のガラス板４と面板ガラス２とをシーリング材１０で接着させるようにしたので、接着幅を大きく取れ、大きな接着力を維持することができる。
【００５１】
なお、面板ガラス２、２、・・、及びリブ３はそれぞれ図示しない構造躯体と連結の上部枠１１と下部枠１２、および図示しない上部構造体内にて支持固定され、あるいは吊下げられて固定されている。
【００５２】
また、地震等による層間変位により面板ガラス２の面に平行に上部枠１１が移動した時、リブ３には強制的にリブ３の上部枠１１によって傾きが生じ、面板ガラス２は前記リブ３との突き合わせ部に設けたシーリング材１０の寸法設計により、層間変位の発生時のリブ３との位置ズレがあっても、面ガラスが破損することはない。
【００５３】
また、短冊状のガラス板４は高剛性のガラス掴み部６によって周囲を囲まれているので、保護された状態であり、破損することはない。
【００５４】
以上好適な実施例について述べたが、本発明はこれに限定されるものではなく種々の応用が考えられるものである。
【００５５】
金属リブ５の金属板部７の幅は、図１と図２に示したようにガラス掴み部６の幅よりも狭いのが通常であるが、図６に示す実施例３のように同じにしてもよい。この場合、金属リブ５の外観からは、ガラス掴み部と金属板部の区別がつかない。
【００５６】
また、金属リブ５のガラス掴み部６と金属板部７の幅は、例えば図７に示す実施例４のように非対称にしてもよい。
【００５７】
さらに、スペーサ８のサイズは、図１に示す実施例１のように上下方向の長さが金属リブ５の全長と同じであっても良いし、また該スペーサ８を上下方向に分割し、該分割されたスペーサ８を離散的に上下に配列しても良い。分割したスペーサ８を上下方向に離散的に配列する場合は、スペーサ８に皿ボルトボルト９が貫通する穴をあけておくと、スペーサ８を正確に位置決めする作業が容易になるとともに、スペーサ８が脱落する虞がなくなるので望ましい。さらに、該スペーサ８の奥行きサイズは、図８に示す実施例５のように金属板部７が互いに向かい合う面の奥行きと同じになるまで拡張することができる。
【００５８】
本発明の各部について代表的な部分の寸法を下記に示す。
【００５９】
分割した短冊状のガラス板４の代表的な寸法は板幅＝２５〜５０ｍｍ、板厚＝１０〜１９ｍｍ、長さ＝３００〜５００ｍｍ。面板ガラス２と短冊状ガラス板４との間のシーリング材１０の代表的な接着厚みは１０〜１５ｍｍ。図５に示すようにシーリング材１０の接着幅範囲がガラス掴み部６の開口部内とする場合には、シーリング材１０の接着幅は１６〜３２ｍｍとした。
【００６０】
また、面板ガラス２、２同士を付き合わせた目地幅は６〜１２ｍｍ、金属板部の代表的な厚みは５〜２０ｍｍであり、面板ガラス２から金属リブ５の室内側の先端までの複合リブ３の奥行きサイズは７５〜１００ｍｍ程度と極めて小幅である。
【００６１】
なお、図６に示すようなガラス掴み部６の開口部内だけでなく、ガラス掴み部６の幅全体にシーリング材１０を充填させる場合においては、シーリング材１０のリブ３との接着幅は３０〜６０ｍｍ程度である。
【図面の簡単な説明】
【００６２】
【図１】本発明の実施例１を説明するガラス板の支持構造の斜視図。
【図２】本発明の実施例１のガラス板の支持構造の横断面図。
【図３】図２のＡ−Ａ視であり、本発明の実施例１のガラス板の支持構造の縦断面図。
【図４】図３の部分拡大図。
【図５】本発明の実施例２のガラス板の支持構造の横断面図。
【図６】本発明の実施例３のガラス板の支持構造の横断面図。
【図７】本発明の実施例４のガラス板の支持構造の横断面図。
【図８】本発明の実施例５のガラス板の支持構造の横断面図。
【図９】本発明のガラス板の支持構造によるガラススクリーンの正面図
【符号の説明】
【００６３】
１        ガラススクリーン
２        面板ガラス
３   複合リブ（方立）
４        短冊状ガラス板
５        金属リブ
６        ガラス掴み部
７        金属板部
８        スペーサ
９        皿ボルト
１０        シーリング材
１１        上部支持枠
１２        下部支持枠
１３        仕切部材
１４        緩衝材
１５        バックアップ材
１６        緩衝シート材
【図１】
2006016776.tif 000003
【図２】
2006016776.tif 000004
【図３】
2006016776.tif 000005
【図４】
2006016776.tif 000006
【図５】
2006016776.tif 000007
【図６】
2006016776.tif 000008
【図７】
2006016776.tif 000009
【図８】
2006016776.tif 000010
【図９】
2006016776.tif 000011